(57)【特許請求の範囲】
【請求項１】
ドア板に使用されるロック装置であって、
前記ドア板に設置されている際、前記ドア板内に収容される収容位置と、前記ドア板から突出するロック位置との間に切り替えられるラッチボルトを備えているラッチ装置と、
前記ラッチ装置と連接して前記ラッチボルトの位置の切り替えを操作することができるように前記ドア板の外に設置されるものであって、前記ドア板に設置するためのベースユニットと、前記ベースユニットに設置されている制御ユニットと、を備えている制御装置と、
第１の軸線を軸心として回転して、前記制御ユニットを回転させることができるように前記制御ユニットと連接されているハンドルと、を備えており、
前記制御ユニットは、使用者の操作により前記ラッチ装置と連接しまたは分離することができるものであって、
前記ハンドルに連接されていると共に、前記ハンドルと共に前記第１の軸線を軸心として回転できるように前記ベースユニットに設置されている第１の回転部と、
前記第１の軸線を軸心として回転できるように前記ベースユニットに設置されていると共に、該回転により前記ラッチボルトを前記収容位置と前記ロック位置との間に切り替えることができるように前記ラッチ装置に連接されている第２の回転部と、
前記第１の軸線と交差する第２の軸線に沿って延伸している１つのみの可動挿入部と、を備えており、
前記第１の回転部には、前記可動挿入部を案内して前記第２の軸線に沿って移動させることができる貫通孔が形成されており、
前記第２の回転部には、前記第２の軸線に沿って移動する前記可動挿入部の位置に対応して、該可動挿入部の先端部を受け入れる挿入孔が形成されており、
前記第１の回転部の前記貫通孔は、前記第２の回転部側にある小径エリアと、前記小径エリアから前記第２の回転部側の反対側へ延伸していると共に、径長が前記小径エリアの径長より大きい大径エリアと、を有し、
前記可動挿入部は、前記第２の回転部の前記挿入孔に挿入していない分離位置と、先端部が前記第２の回転部の前記挿入孔に挿入していると共に残りの部分が前記第１の回転部の前記貫通孔内に収容されていて、その状態で前記第２の回転部を前記第１の回転部と共に回転させることができる連接位置との間に移動されうるように構成されており、更に、前記大径エリア内で移動できると共に、径長が前記小径エリアの径長より大きく張り出しているフランジ部を備えており、
また、前記制御ユニットには、付勢部が、前記フランジ部に前記第２の回転部側の反対側へ移動させる力を与えることができるように、前記フランジ部と前記小径エリアを画成している周壁との間に設置されており、且つ、当止部が、前記可動挿入部の前記フランジ部に当接できるように、前記貫通孔の前記大径エリアにおける前記第２の回転部側の反対側に更に構成されており、
前記ベースユニットには、駆動ユニットが設置されており、
当該駆動ユニットは、前記制御装置の前記ベースユニットに設置されているモーターと、前記モーターに駆動されて前記可動挿入部を前記第２の回転部の前記挿入孔に押圧する押圧部と、を備えており、
前記押圧部は、前記可動挿入部を押圧する押圧面と、前記押圧面の周縁から前記可動挿入部を離れる方向へ斜めに伸びるように、前記押圧面の前記第１の回転部の回転方向における少なくとも一側に形成されている少なくとも１つの案内面と、を備えていることを特徴とするロック装置。
【請求項２】
前記第１の回転部は、前記ハンドルから離れた端部に、前記第２の回転部の前記ラッチボルトから離れた端部を収容できる収容槽が形成されており、
前記第１の回転部の前記貫通孔は、前記収容槽の周壁に形成されており、
前記第２の回転部の前記挿入孔は、前記貫通孔に対応するように、前記ラッチボルトから離れた端部側に形成されていることを特徴とする請求項１に記載のロック装置。
【請求項３】
前記制御装置は、前記駆動ユニットに電力を提供する電源を更に備えており、
前記制御装置の前記ベースユニットは、前記ドア板に固定するためのベースと、前記制御ユニットを覆っているハウジングと、前記ベース及び前記ハウジングにより画成されていて、前記電源が設置されている設置槽とを備えていることを特徴とする請求項１または請求項２に記載のロック装置。
【請求項４】
ドア板と、前記ドア板に設置されている請求項１〜請求項３のいずれか一項に記載のロック装置と、を備えているドアであって、
前記ドア板は、前記ロック装置が設置されている且つ前記ドアが設置されている場所における外側に面する外側面と前記ドアが設置されている場所における内側に面する内側面とを有し、
前記ロック装置の前記ラッチ装置は、前記ドア板内に収容されており、前記ロック装置の前記制御装置は、前記外側面に設置されていることを特徴とするドア。
【発明の詳細な説明】
【技術分野】
【０００１】
本発明は、ロック装置に関し、特にドアに使用するロック装置に関する。
【背景技術】
【０００２】
特許文献１には、図１及び図２に示されるように、ドア板１１に使用されるロック装置が記載されている。
【０００３】
該ロック装置は、ドア板１１内に設置されているハウジング１２と、ドア板１１外に設置されているハンドル１３と、ハンドル１３と連接されながらハウジング１２内に設置されている連動ユニット１４と、連動ユニット１４に連動されるようにハウジング１２内に設置されているラッチ装置１５と、ハウジング１２内に設置されている制御装置１６とを備えている。
【０００４】
ハンドル１３は、ドア板１１の内側に配置されている内ハンドル１３１と、ドア板１１の外側に配置されている外ハンドル１３２とを有する。
【０００５】
連動ユニット１４は、内ハンドル１３１と連接されている内カム１４１と、外ハンドル１３２と連接されている外カム１４２とを備えている。
【０００６】
外カム１４２には、槽１４３が形成されている。
【０００７】
制御装置１６は、槽１４３に挿入される駆動部１６１と駆動部１６１に駆動される制御部１６２とを備えている。
【０００８】
該ロック装置を解錠状態にすると、制御部１６２が駆動部１６１に駆動されて、槽１４３から離脱するので、外ハンドル１３２を回転する際、外カム１４２が連動されて回転して、ラッチ装置１５が引き込まれて、ドアを開けられるようになる。
【０００９】
該ロック装置を制御状態にすると、制御部１６２が駆動部１６１に駆動されて、槽１４３に挿入するので、外ハンドル１３２を回転する際、外カム１４２が連動されて回転することができなくなって、ドアを開けられない。
【先行技術文献】
【特許文献】
【００１０】
【特許文献１】台湾特許第Ｉ６２１７６５号明細書
【発明の概要】
【発明が解決しようとする課題】
【００１１】
引用文献１のロック装置において、制御装置は特に破損しやすい部品であり、制御装置を修理またはメンテナンスする際、制御装置を一旦ドア板から取り出すか、またはドア板内に工具を差し込んで作業を行うしかないので、修理またはメンテナンスが不便という欠点がある。
【００１２】
上記問題点に鑑みて、本発明は、上記の欠点を解消するロック装置の提供を目的とする。
【課題を解決するための手段】
【００１３】
上記目的を達成すべく、本発明は、ドア板に使用されるロック装置であって、
前記ドア板に設置されている際、前記ドア板内に収容される収容位置と、前記ドア板から突出するロック位置との間に切り替えられるラッチボルトを備えているラッチ装置と、
前記ラッチ装置と連接して前記ラッチボルトの位置の切り替えを操作することができるように前記ドア板の外に設置されるものであって、前記ドア板に設置するためのベースユニットと、前記ベースユニットに設置されている制御ユニットと、を備えている制御装置と、
第１の軸線を軸心として回転して、前記制御ユニットを回転させることができるように前記制御ユニットと連接されているハンドルと、を備えており、
前記制御ユニットは、使用者の操作により前記ラッチ装置と連接しまたは分離することができるものであって、
前記ハンドルに連接されていると共に、前記ハンドルと共に前記第１の軸線を軸心として回転できるように前記ベースユニットに設置されている第１の回転部と、
前記第１の軸線を軸心として回転できるように前記ベースユニットに設置されていると共に、該回転により前記ラッチボルトを前記収容位置と前記ロック位置との間に切り替えることができるように前記ラッチ装置に連接されている第２の回転部と、
前記第１の軸線と交差する第２の軸線に沿って延伸している可動挿入部と、を備えており、
前記第１の回転部には、前記可動挿入部を案内して前記第２の軸線に沿って移動させることができる貫通孔が形成されており、
前記第２の回転部には、前記第２の軸線に沿って移動する前記可動挿入部の位置に対応して、該可動挿入部の先端部を受け入れる挿入孔が形成されており、
前記可動挿入部は、前記第２の回転部の前記挿入孔に挿入していない分離位置と、先端部が前記第２の回転部の前記挿入孔に挿入していると共に残りの部分が前記第１の回転部の前記貫通孔内に収容されていて、その状態で前記第２の回転部を前記第１の回転部と共に回転させることができる連接位置との間に移動されうるように構成されている。
【００１４】
また、本発明は、上記ロック装置を備えているドアも提供する。
【００１５】
当該ドアは、ドア板と、前記ドア板に設置されている上記のロック装置と、を備えているドアであって、
前記ドア板は、前記ロック装置が設置されている且つ前記ドアが設置されている場所における外側に面する外側面と前記ドアが設置されている場所における内側に面する内側面とを有し、
前記ロック装置の前記ラッチ装置は、前記ドア板内に収容されており、
前記ロック装置の前記制御装置は、前記外側面に設置されている。
【発明の効果】
【００１６】
上記構成により、本発明のロック装置は、制御装置がドア板の外に設置されているので、修理またはメンテナンスする際、制御装置をドア板から取り出す必要やドア板内で作業を行う必要がなくなり、従来のロック装置と比べて、修理やメンテナンスの際に取り外す部品がより少量となり、作業が簡単で便利になる。
【図面の簡単な説明】
【００１７】
【図１】従来のロック装置の内部構造図である。
【図２】上記ロック装置及びそれを備えているドアの側面図である。
【図３】本発明のロック装置の第１の実施形態及びそれを備えているドアを示す斜視図である。
【図４】図３の線IV−IVに沿った上記ロック装置の断面図である。
【図５】上記ロック装置の局所拡大断面図である。
【図６】図３の線VI−VIに沿った上記ロック装置の断面図である。
【図７】本発明のロック装置の第２の実施形態及びそれを備えているドアを示す斜視図である。
【図８】図７の線VIII−VIIIに沿った上記ロック装置の断面図である。
【図９】本発明のロック装置の第３の実施形態及びそれを備えているドアを示す斜視図である。
【図１０】図９の線Ｘ−Ｘに沿った上記ロック装置の断面図である。
【発明を実施するための形態】
【００１８】
以下、図面を参照しながら、本発明のロック装置の各実施形態について詳しく説明する。
【００１９】
＜第１の実施形態＞
図３は本発明のロック装置の第１の実施形態及びそれを備えているドアを示す斜視図である。図４は図３の線IV−IVに沿った上記ロック装置の断面図である。図５は上記ロック装置の局所拡大断面図である。図６は図３の線VI−VIに沿った上記ロック装置の断面図である。
【００２０】
本発明のロック装置を備えているドアは、図３に示されるように、ドア板２と、ドア板２に設置されている第１の実施形態のロック装置３とを備えている。
【００２１】
ドア板２は、図３に示されるように、ロック装置３が設置されている且つドアが設置されている場所における外側に面する外側面２１とドアが設置されている場所における内側に面する内側面２２とを有する。
【００２２】
この実施形態において、ドア板２は、四辺形のものであるが、他の形に形成されてもよい。また、ドア板２の構成材料として、木材、金属などの堅い材料が挙げられる。
【００２３】
本発明のロック装置３の第１の実施形態は、図３及び図４に示されるように、ハンドル４と、ラッチ装置５と、制御装置６と、解錠装置７とを備えている。
【００２４】
ラッチ装置５は、図３に示されるように、ドア板２に設置されている際、ドア板２内に収容される収容位置と、ドア板２から突出するロック位置との間に切り替えられるラッチボルト５１を備えている。
【００２５】
制御装置６は、図４〜図６に示されるように、ラッチ装置５と連接してラッチボルト５１の位置の切り替えを操作することができるようにドア板２の外に設置されるものであり、且つ、ドア板２に設置するためのベースユニット６１と、ベースユニット６１に設置されている制御ユニット６２と、ベースユニット６１に設置されている駆動ユニット６３と、駆動ユニット６３に電力を提供する電源６４とを備えている。
【００２６】
ハンドル４は、図４に示されるように、第１の軸線Ｌ１を軸心として回転して、制御ユニット６２を回転させることができるように制御ユニット６２と連接されている。
【００２７】
制御装置６のベースユニット６１は、図４及び図６に示されるように、ドア板２に固定するためのベース６１１と、制御ユニット６２を覆っているハウジング６１２と、ベース６１１及びハウジング６１２により画成されていて、電源６４が設置されている設置槽６１３とを備えている。
【００２８】
制御ユニット６２は、図４及び図５に示されるように、使用者の操作によりラッチ装置５と連接しまたは分離することができるものであり、且つ、ハンドル４に連接される第１の回転部６５と、第１の回転部６５とラッチボルト５１との間に配置される第２の回転部６６と、可動挿入部６７と、付勢部６８と、当止部６９とを備えている。
【００２９】
第１の回転部６５は、図４及び図５に示されるように、ハンドル４に連接されていると共に、ハンドル４と共に第１の軸線Ｌ１を軸心として回転できるようにベースユニット６１に設置されている。更に、第１の回転部６５には、ハンドル４から離れた端部に、第２の回転部６６のラッチボルト５１から離れた端部を収容できる収容槽６５２が形成されている本体部６５１を有し、且つ、収容槽６５２の周壁に、可動挿入部６７を案内して第１の軸線Ｌ１と交差する第２の軸線Ｌ２に沿って移動させることができる貫通孔６５３が形成されている。
【００３０】
この実施形態において、第１の回転部６５は図６に示される回転方向ａに沿って回転でき、第１の軸線Ｌ１はドア板２の外側面２１と直交し、第２の軸線Ｌ２は第１の軸線Ｌ１と直交する。なお、本発明の効果を損なわない状況において、第１の軸線Ｌ１と第２の軸線Ｌ２との成す角及び第１の軸線Ｌ１とドア板２の外側面２１との成す角は、適宜に選択できる。
【００３１】
第２の回転部６６は、図４及び図５に示されるように、第１の軸線Ｌ１を軸心として回転できるようにベースユニット６１に設置されていると共に、該回転によりラッチボルト５１を前記収容位置と前記ロック位置との間に切り替えることができるようにラッチ装置５に連接されている。更に、第２の回転部６６には、第２の軸線Ｌ２に沿って移動する可動挿入部６７の位置（即ち第１の回転部６５の貫通孔６５３の位置）に対応して、該可動挿入部６７の先端部を受け入れる挿入孔６６１が、第２の回転部６６のラッチボルト５１から離れた端部側に形成されている。
【００３２】
可動挿入部６７は、図４〜図６に示されるように、第２の軸線Ｌ２に沿って延伸していて、第２の回転部６６の挿入孔６６１に挿入していない分離位置（図４を参照）と、先端部が第２の回転部６６の挿入孔６６１に挿入していると共に残りの部分が第１の回転部６５の貫通孔６５３内に収容されていて、その状態で第２の回転部６６を第１の回転部６５と共に回転させることができる連接位置（図５に参照）との間に移動されうるように構成されている。
【００３３】
即ち、可動挿入部６７が分離位置に位置すると、第１の回転部６５の回転が第２の回転部６６に伝わらない。可動挿入部６７が連接位置に位置すると、第１の回転部６５の回転が第２の回転部６６に伝わり、共に回転する。
【００３４】
第１の回転部６５の貫通孔６５３は、図４及び図５に示されるように、第２の回転部６６側にある小径エリア６５４と、小径エリア６５４から第２の回転部６６側の反対側へ延伸していると共に、径長が小径エリア６５４の径長より大きい大径エリア６５５と、を有する。
【００３５】
可動挿入部６７は、図５に示されるように、本体部６７１と、大径エリア６５５内で移動できると共に、径長が小径エリア６５４の径長より大きく本体部６７１から張り出しているフランジ部６７２を備えている。この実施形態において、図５に示されるように、フランジ部６７２は本体部６７１の上半部分（駆動ユニット６３寄りの部分）から張り出している。
【００３６】
付勢部６８は、図５に示されるように、フランジ部６７２に第２の回転部６６側の反対側へ移動させる力を与えることができるように、フランジ部６７２と小径エリア６５４を画成している周壁（大径エリア６５５と小径エリア６５４とを繋ぐ肩部）との間に設置されている。この実施形態において、付勢部６８は圧縮ばねであるが、他の弾性体を使用することもできる。
【００３７】
当止部６９は、図５及び図６に示されるように、可動挿入部６７のフランジ部６７２に当接できるように、貫通孔６５３の大径エリア６５５における第２の回転部６６側の反対側に更に構成されている。この実施形態において、当止部６９は、径長がフランジ部６７２の径長と可動挿入部６７の本体部６７１の径長との間にあるように形成されている通過孔６９１を有するものである。従って、可動挿入部６７のフランジ部６７２より上の部分が通過孔６９１を通過して貫通孔６５３から突出することができ、且つ、フランジ部６７２が通過孔６９１の周縁に当接することにより可動挿入部６７の全体が貫通孔６５３から離脱することを防止できる。
【００３８】
制御装置６の駆動ユニット６３は、図４〜図６に示されるように、前記制御装置６のベースユニット６１に設置されているモーター６３１と、モーター６３１に駆動されて可動挿入部６７を第２の回転部６６の挿入孔６６１に押圧する押圧部６３２と、を備えている。
【００３９】
押圧部６３２は、図６に示されるように、可動挿入部６７を押圧する押圧面６３３と、押圧面６３３の周縁から可動挿入部６７から離れる方向へ斜めに伸びるように、押圧面６３３の第１の回転部６５の回転方向における少なくとも一側に形成されている少なくとも１つの案内面６３４と、を備えている。この実施形態において、案内面６３４は、回転方向における両側それぞれに形成されている。
【００４０】
押圧部６３２は可動挿入部６７に当たって押圧するので、操作を繰り返すと押圧部６３２が損壊しやすい。そこで、押圧部６３２の使用寿命を延ばすために、この実施形態において、押圧部６３２の構成材料はポリアセタールであるが、他の剛性が高く、耐磨耗の材料により構成されてもよい。
【００４１】
電源６４は、図４に示されるように、設置槽６１３に設置され、駆動ユニット６３及び解錠装置７に電気的に連接して電力を提供する。この実施形態において、電源６４は乾電池であるが、電力を提供できるものであればよい。
【００４２】
この実施形態において、解錠装置７は、ＲＦＩＤ（ｒａｄｉｏ ｆｒｅｑｕｅｎｃｙ ｉｄｅｎｔｉｆｉｅｒ）を使用している解錠装置であるが、他の解錠できる装置も使用でき、例えば、一般の鍵及び鍵孔を有する解錠装置も使用できる。
【００４３】
使用者が解錠装置７に認証されると、モーター６３１が押圧部６３２を駆動することにより、押圧部６３２が分離位置に位置している可動挿入部６７を第２の回転部６６の挿入孔６６１に押して、連接位置に位置させる。そして、使用者がハンドル４を回転することにより、第１の回転部６５と、第２の回転部６６と、可動挿入部６７と、ラッチ装置５とを回転させて、ラッチボルト５１を収容位置に位置させることができ、ドアを開閉できる。
【００４４】
解錠装置７に認証されていない場合、可動挿入部６７は、付勢部６８に押されていて第２の回転部６６の挿入孔６６１に挿入せず、一部が第１の回転部６５の貫通孔６５３から突出しているので、使用者がハンドル４を回転しても、第２の回転部６６とラッチ装置５とが回転せず、ラッチボルト５１がロック位置に位置したままであるので、ドアの開閉ができない。
【００４５】
また、使用者がハンドル４を回転することにより可動挿入部６７が押圧部６３２の押圧面６３３から離れると、可動挿入部６７は、第１の回転部６５及び第２の回転部６６に挟まれているので、第１の回転部６５と第２の回転部６６とからの互いに反対するせん断応力及び第１の回転部６５と第２の回転部６６との摩擦力により、付勢部６８からの力に抵抗して、可動挿入部６７が挿入孔６６１から離れなくなる。なお、ハンドル４を回転させた際に可動挿入部６７が挿入孔６６１から離れてしまった場合には、ハンドル４を元の位置に戻すと、可動挿入部６７が押圧部６３２の案内面６３４に当接されながら押圧部６３２の押圧面６３３に戻る。そうすると、可動挿入部６７が再び押圧部６３２に押圧されて連接位置に戻すことができる。
【００４６】
上記の構成によれば、本発明のロック装置３は、制御装置６がドア板２の外部にある外側面２１に設置されているので、修理またはメンテナンスのために、施錠を制御する制御装置をドア板から取り出す必要や、工具をドア板内に差し込んで作業を行う必要がなくなり、従来のロック装置と比べて、修理やメンテナンスの際に取り外す部品がより少量となり、作業が簡単で便利になる。また、一般の鍵及び鍵孔を有するロック装置を電子式の装置に変換する際にも、ドア板２内のラッチ装置５を交換しなくとも、制御装置６及び解錠装置７だけを交換するだけでよい。
【００４７】
＜第２の実施形態＞
本発明の第２の実施形態は、上記第１の実施形態と多くの構成が共通するので、ここでは詳しい説明を省略し、その相違点のみを説明する。
【００４８】
図７は本発明のロック装置の第２の実施形態及びそれを備えているドアを示す斜視図である。図８は図７の線VIII−VIIIに沿った上記ロック装置の断面図である。
【００４９】
この実施形態のロック装置において、図７及び図８に示されるように、解錠装置７は、顔認識システムを使用している解錠装置である。
【００５０】
＜第３の実施形態＞
本発明の第３の実施形態は、上記第１の実施形態と多くの構成が共通するので、ここでは詳しい説明を省略し、その相違点のみを説明する。
【００５１】
図９は本発明のロック装置の第３の実施形態及びそれを備えているドアを示す斜視図である。図１０は図９の線Ｘ−Ｘに沿った上記ロック装置の断面図である。
【００５２】
この実施形態のロック装置において、図９及び図１０に示されるように、解錠装置７は、暗証番号式の解錠装置である。
【産業上の利用可能性】
【００５３】
本発明のロック装置は、一般のドアに適用できる。且つそれを備えているドアは、一般の出入り口の開け閉めに適用できる。
【符号の説明】
【００５４】
２      ドア板
２１    外側面
２２    内側面
３      ロック装置
４      ハンドル
５      ラッチ装置
６      制御装置
７      解錠装置
５１    ラッチボルト
６１    ベースユニット
６１１  ベース
６１２  ハウジング
６１３  設置槽
６２    制御ユニット
６３    駆動ユニット
６３１  モーター
６３２  押圧部
６３３  押圧面
６３４  案内面
６４    電源
６５    第１の回転部
６５１  本体部
６５２  収容槽
６５３  貫通孔
６５４  小径エリア
６５５  大径エリア
６６    第２の回転部
６６１  挿入孔
６７    可動挿入部
６７１  本体部
６７２  フランジ部
６８    付勢部
６９    当止部
６９１  通過孔
Ｌ１    第１の軸線
Ｌ２    第２の軸線
ａ      回転方向
【要約】
【課題】修理またはメンテナンスがしやすいロック装置を提供する。
【解決手段】ロック装置３は、ラッチボルト５１を備えているラッチ装置５と、制御ユニットを備え、ラッチ装置５を操作することができるように前記ドア板２の外に設置される制御装置６と、前記制御ユニットを回転させることができるハンドル４と、を備えており、前記制御ユニットは、使用者の操作によりラッチ装置５と連接しまたは分離することができるものであって、ラッチ装置５と連接されるとラッチ装置５を操作できる。
【選択図】図３【図１】
0006815663.tif 000002
【図２】
0006815663.tif 000003
【図３】
0006815663.tif 000004
【図４】
0006815663.tif 000005
【図５】
0006815663.tif 000006
【図６】
0006815663.tif 000007
【図７】
0006815663.tif 000008
【図８】
0006815663.tif 000009
【図９】
0006815663.tif 000010
【図１０】
0006815663.tif 000011